(57)【要約】【課題】  表示器の分割画面に表示する画像データを変更し得る遊技機を提供する。【解決手段】  画像制御装置６０が、つなぎ情報と分割画面情報とを対応付けた分割画面情報取得知識６２と、分割画面情報と画像情報とを対応付けた画像情報取得知識６４と、画像記憶手段６６とを備え、主制御装置４０が、始動入賞部品への球の始動入賞を契機として得た乱数値を抽選知識５４に照合してつなぎ情報を抽出し、抽出したつなぎ情報を画像制御装置に出力し、画像制御装置が、主制御装置より入力したつなぎ情報を分割画面情報取得知識に照合して分割画面情報を取得するとともに、取得した分割画面情報を画像情報取得知識に照合して画像情報を取得し、画像情報により画像記憶手段から読出した画像を分割画面情報に示された表示器１６の分割画面に表示した。【選択図】      図１
2005185607.tif 000002
【特許請求の範囲】
【請求項１】
遊技機枠に、表示器と、表示器の表示画面を複数の画面に分割して分割画面毎に画像を表示する制御装置とを備えた遊技機において、制御装置が、主制御装置と画像制御装置とを互いに別々に備え、主制御装置が、乱数値とつなぎ情報とを対応付けた抽選知識を備え、画像制御装置が、つなぎ情報と分割画面情報とを対応付けた分割画面情報取得知識と、分割画面情報と画像情報とを対応付けた画像情報取得知識と、画像記憶手段とを備え、主制御装置が、始動入賞部品への球の始動入賞あるいは遊技開始操作手段の操作を契機として得た乱数値を抽選知識に照合してつなぎ情報を抽出し、抽出したつなぎ情報を画像制御装置に出力し、画像制御装置が、主制御装置より入力したつなぎ情報を分割画面情報取得知識に照合して分割画面情報を取得するとともに、取得した分割画面情報を画像情報取得知識に照合して画像情報を取得し、画像情報により画像記憶手段から読出した画像を分割画面情報に示された表示器の分割画面に表示したことを特徴とする遊技機。
【請求項２】
遊技機枠に、表示器と、表示器の表示画面を複数の画面に分割して分割画面毎に画像を表示する制御装置とを備えた遊技機において、制御装置が、主制御装置と画像制御装置とを互いに別々に備え、主制御装置が、乱数値とつなぎ情報とを対応付けた抽選知識と、つなぎ情報と分割画面情報とを対応付けた分割画面情報取得知識と、分割画面情報と画像情報とを対応付けた画像情報取得知識とを備え、画像制御装置が画像記憶手段を備え、主制御装置が、始動入賞部品への球の始動入賞あるいは遊技開始操作手段の操作を契機として得た乱数値を抽選知識に照合してつなぎ情報を抽出し、抽出したつなぎ情報を分割画面情報取得知識に照合して分割画面情報を取得し、取得した分割画面情報を画像情報取得知識に照合して画像情報を取得し、この画像情報を画像制御装置に出力し、画像制御装置が、画像情報により画像記憶手段から読出した画像を分割画面情報に示された表示器の分割画面に表示したことを特徴とする遊技機。
【請求項３】
主制御装置が抽選知識変更手段を備え、遊技機枠の前面に抽選知識変更手段に変更指示を与えるための抽選知識変更操作機構を備えたことを特徴とする請求項１又は請求項２に記載の遊技機。
【請求項４】
抽選知識変更手段が当たり遊技終了後に起動して抽選知識を変更したことを特徴とする請求項３に記載の遊技機。
【請求項５】
画像制御装置又は主制御装置が、一対の分割画面情報取得知識と画像情報取得知識との組み合わせを複数備え、かつ、この組み合わせを変更する取得知識変更手段を備え、遊技機枠の前面に取得知識変更手段に変更指示を与えるための取得知識変更操作機構を備えたことを特徴とする請求項１ないし請求項４のいずれかに記載の遊技機。
【請求項６】
取得知識変更手段が当たり遊技終了後に起動して一対の分割画面情報取得知識と画像情報取得知識との組み合わせを変更したことを特徴とする請求項５に記載の遊技機。
【発明の詳細な説明】
【技術分野】
【０００１】
本発明は表示器の分割画面に表示する画像データを変更可能な遊技機に関する。
【背景技術】
【０００２】
パチンコ機において、表示器を備え、この表示器の表示画面を複数の画面に分割して分割画面毎に画像を表示するものが知られている。例えば、表示画面を３分割して当たり外れ抽選の結果を表す画像を分割画面に互いに別々に変動表示及び停止表示する。この場合、分割画面毎に、この分割画面に表示する画像データを画像制御装置が持っている。しかしながら、１つ１つの分割画面に表示する画像データは分割画面毎に決まっており、面白味に欠ける。
【特許文献１】特開２００２−２００２４８号公報（段落００２２−段落００２４、図３参照）
【発明の開示】
【発明が解決しようとする課題】
【０００３】
発明が解決しようとする問題点は、分割画面に表示する画像データの種類は、分割画面毎に決まっており、面白味に欠けるという点である。
【課題を解決するための手段】
【０００４】
本発明の遊技機は、遊技機枠に、表示器と、表示器の表示画面を複数の画面に分割して分割画面毎に画像を表示する制御装置とを備えた遊技機において、制御装置が、主制御装置と画像制御装置とを互いに別々に備え、主制御装置が、乱数値とつなぎ情報とを対応付けた抽選知識を備え、画像制御装置が、つなぎ情報と分割画面情報とを対応付けた分割画面情報取得知識と、分割画面情報と画像情報とを対応付けた画像情報取得知識と、画像記憶手段とを備え、主制御装置が、始動入賞部品への球の始動入賞あるいは遊技開始操作手段の操作を契機として得た乱数値を抽選知識に照合してつなぎ情報を抽出し、抽出したつなぎ情報を画像制御装置に出力し、画像制御装置が、主制御装置より入力したつなぎ情報を分割画面情報取得知識に照合して分割画面情報を取得するとともに、取得した分割画面情報を画像情報取得知識に照合して画像情報を取得し、画像情報により画像記憶手段から読出した画像を分割画面情報に示された表示器の分割画面に表示したことを最も特徴とする。遊技機枠に、表示器と、表示器の表示画面を複数の画面に分割して分割画面毎に画像を表示する制御装置とを備えた遊技機において、制御装置が、主制御装置と画像制御装置とを互いに別々に備え、主制御装置が、乱数値とつなぎ情報とを対応付けた抽選知識と、つなぎ情報と分割画面情報とを対応付けた分割画面情報取得知識と、分割画面情報と画像情報とを対応付けた画像情報取得知識とを備え、画像制御装置が画像記憶手段を備え、主制御装置が、始動入賞部品への球の始動入賞あるいは遊技開始操作手段の操作を契機として得た乱数値を抽選知識に照合してつなぎ情報を抽出し、抽出したつなぎ情報を分割画面情報取得知識に照合して分割画面情報を取得し、取得した分割画面情報を画像情報取得知識に照合して画像情報を取得し、この画像情報を画像制御装置に出力し、画像制御装置が、画像情報により画像記憶手段から読出した画像を分割画面情報に示された表示器の分割画面に表示したことも特徴とする。主制御装置が抽選知識変更手段を備え、遊技機枠の前面に抽選知識変更手段に変更指示を与えるための抽選知識変更操作機構を備えたことや、抽選知識変更手段が当たり遊技終了後に起動して抽選知識を変更したことや、画像制御装置又は主制御装置が、一対の分割画面情報取得知識と画像情報取得知識との組み合わせを複数備え、かつ、この組み合わせを変更する取得知識変更手段を備え、遊技機枠の前面に取得知識変更手段に変更指示を与えるための取得知識変更操作機構を備えたことや、取得知識変更手段が当たり遊技終了後に起動して一対の分割画面情報取得知識と画像情報取得知識との組み合わせを変更したことも特徴とする。
【発明の効果】
【０００５】
本発明によれば、画像取得までの知識を、抽選知識と分割画面情報知識と画像情報知識とに分けたので、画像制御装置が、分割画面番号の数や画像情報を異ならせた分割画面情報取得知識と画像情報取得知識との組み合わせを複数組備えることにより、分割画面情報取得知識と画像情報取得知識との組み合わせを変更することで、分割画面の数と分割画面に表示する画像との組み合わせを多く設定できる。即ち、表示器の分割画面に表示する画像を変更できる。また、画像制御装置が、分割画面情報取得知識と画像情報取得知識とを備えるので、主制御装置の制御負担を増加させることもない。また、主制御装置が、抽選知識のつなぎ情報を変更することで、表示器の分割画面に表示する画像データを変更できる。また、抽選知識変更手段、取得知識変更手段を備えるので、人の操作による抽選知識変更操作機構、取得知識変更操作機構からの指示により、あるいは、当たり遊技終了後に、分割画面に異なる画像を表示し得る遊技機が得られる。
【発明を実施するための最良の形態】
【０００６】
第１実施形態
図１−図２は、第１実施形態である。図１はパチンコ機の構成を示す。図２はパチンコ機の始動入賞による制御を示す。
【０００７】
図１を参照し、遊技機としてのパチンコ機の構成について説明する。パチンコ機の遊技機枠１は、島と呼ばれる遊技機設置構造体に設置される。遊技機枠１の前部には、ガラスまたは合成樹脂からなる透過性パネル２で閉鎖された開口部３、開口部３よりも下方に設けられた皿４、皿４の右側に設けられた発射操作機構５、開口部３の周囲に設けられた表示灯部品６、開口部３の周囲に設けられた放音孔部７を備える。表示灯部品６は内部に表示灯８を備える。放音孔部７の裏側にはスピーカ９が設けられる。遊技機枠１の内部には、遊技盤１０および発射機構１１を備える。遊技盤１０は開口部３の裏側に位置するように遊技機枠１に格納される。遊技盤１０の前面である意匠盤面１２と透過性パネル２との間には、発射機構１１から発射された球（パチンコ球）の飛び交う遊技領域１３が、ガイドレール１４で囲まれた内側の領域として形成される。遊技領域１３における意匠盤面１２には、始動入賞部品１５、表示器１６、可変入賞部品１７、アウト口１８、図外の一般入賞部品、図外の障害釘や遊技釘と呼ばれる釘が設けられる。遊技機枠１の前面１ａにおいて発射操作機構５の上方には、ボタンスイッチのようなスイッチ手段で構成された抽選知識変更指示機構７０、取得知識変更指示機構７１が設けられる。
【０００８】
表示器１６は表示画面１６ａに静止画、動画等の画像を表示するもので、例えば、液晶表示器のように電気的に表示形態の変えられる画像を表示画面１６ａに表示する表示器である。表示器１６は遊技盤１０の裏部または遊技機枠１の裏部に取り付けられ、表示画面１６ａが透過性パネル２を通して遊技機枠１の前側から視認可能になっている。可変入賞部品１７の前部には開閉体３５が下部を回転中心として前後方向に開閉可能に設けられる。可変入賞部品１７の内部にはＶゾーンと呼ばれる図外の特定入賞口、カウントゾーンと呼ばれる図外の普通入賞口、特定入賞口に入賞した球を検出して特定入賞信号を出力する図外の特定入賞球検出器、普通入賞口に入賞した球を検出して普通入賞信号を出力する図外の普通入賞球検出器を備える。可変入賞部品１７の裏部には開閉体３５を駆動する開閉駆動源３６を備える。球払出機構３７は、遊技機枠１の裏部または遊技機設置構造体に取り付けられる。球払出機構３７は、遊技機設置構造体の図外の補給装置から供給された球を、制御装置３９からの指示で、皿４に払い出す。制御装置３９は、遊技機枠１の裏部または遊技盤１０の裏部に取り付けられる。制御装置３９は、主制御装置４０と画像制御装置６０と音制御装置４２と表示灯制御装置４３と発射払出制御装置４４とに機能分割される。主制御装置４０と画像制御装置６０と音制御装置４２と表示灯制御装置４３と発射払出制御装置４４は、図示しないが、それぞれ、ＣＰＵ、ＲＯＭ、ＲＡＭ、入出力デバイス等を備えたコンピュータで構成される。
【０００９】
主制御装置４０は、入賞検出手段５１、抽選カウンタ５２、抽選手段５３、抽選知識５４、変更指示判定手段５６、抽選知識変更手段５７、遊技制御手段５８を備える。入賞検出手段５１、抽選カウンタ５２、抽選手段５３、変更指示判定手段５６、抽選知識変更手段５７、遊技制御手段５８は、主制御装置４０に内蔵したマイクロコンピュータのＣＰＵがＲＯＭに格納されたプログラムにしたがいＲＡＭを使用しながら動作することで具現化される。抽選知識５４はＲＯＭに格納されたデータにより構成され、主制御装置４０の起動によりＲＯＭからＲＡＭに転送される。抽選知識５４は、図２に示すように、乱数値とつなぎ情報と当たり外れ結果との関係を規定したテーブルまたはマップのような情報である。抽選カウンタ５２は、主制御装置４０のマイクロコンピュータのプログラムを処理する４ｍ秒のような１サイクルごとにカウント値を１つずつカウントアップし、カウントアップしたカウント値が抽選知識５４の最大値の乱数値と同じ値の最大値になると、カウント値が抽選知識５４の最小値の乱数値と同じ値の最小値に戻る、巡回形である。
【００１０】
画像制御装置６０は、分割画面情報取得手段６１、分割画面情報取得知識６２、画像情報取得手段６３、画像情報取得知識６４、表示制御手段６５、画像記憶手段６６、表示画面駆動手段６７、取得知識変更手段６８を備える。分割画面情報取得手段６１、画像情報取得手段６３、表示制御手段６５、表示画面駆動手段６７、取得知識変更手段６８は、画像制御装置６０に内蔵したマイクロコンピュータのＣＰＵがＲＯＭに格納されたプログラムにしたがいＲＡＭを使用しながら動作することで具現化される。分割画面情報取得知識６２、画像情報取得知識６４は、ＲＯＭに格納されたデータにより構成され、画像制御装置６０の起動によりＲＯＭからＲＡＭに転送される。図２に示すように、分割画面情報取得知識６２は、つなぎ情報と表示画面１６ａの分割画面１６ｂの位置を示す分割画面情報との関係を規定したテーブルまたはマップのような情報である。画像情報取得知識６４は、分割画面情報と画像情報との関係を規定したテーブルまたはマップのような情報である。図２では、分割画面情報として分割画面１６ｂの位置を示す分割画面番号が、画像情報として画像記憶手段６６のアドレスが対応付けられた場合を例にして説明する。
【００１１】
分割画面情報取得知識６２及び画像情報取得知識６４の分割画面番号は表示器１６の表示画面１６ａを分割した分割画面１６ｂの位置を示す情報であり、表示画面駆動手段６７が表示制御手段６５から分割画面番号を受けると、その分割画面番号に対応付けられた分割画面１６ｂの位置に画像を表示する。図２では表示画面１６ａを８分割した例を示している。つなぎ情報が「１、２、３、…１００」まで１００個とすると、分割画面番号も２個から１００個まで設定可能である。つなぎ情報が１００個で分割画面番号が２個とすれば、分割画面番号が「１」か「２」につなぎ情報を対応付けた分割画面情報取得知識６２を用いれば、始動入賞があった場合に分割画面番号「１」あるいは「２」に対応付けられた２つの分割画面のいずれかに画像が表示される。つなぎ情報が１００個で分割画面番号も１００個とすれば、１対１対応であり、つなぎ情報１つ１つを異なる分割画面番号に割り当てた分割画面情報取得知識６２を用いることができる。即ち、つなぎ情報の数と分割画面番号の数の関係はつなぎ情報の数≧分割画面番号の数であればよい。画像制御装置６０のＲＯＭには、分割画面番号の数やアドレス（画像情報）を異ならせた分割画面情報取得知識６２と画像情報取得知識６４との組み合わせを複数組備えている。これにより、分割画面１６ｂの数と分割画面１６に表示する画像との組み合わせを多く設定できる。この複数組の分割画面情報取得知識６２と画像情報取得知識６４とを画像制御装置６０に持たせることで、主制御装置４０に負担をかけることなく、分割画面１６ｂの数と分割画面１６ｂに表示する画像との組み合わせを多く設定できる。尚、つなぎ情報は、固定の乱数値と複数態様（分割画面の形や数）に設定可能な分割画面情報（分割画面番号）との組み合わせを自由に変更設定可能とするための情報である。
【００１２】
１対の分割画面情報取得知識６２と画像情報取得知識６３とは取得知識変更手段６８により変更される。例えば、遊技機枠１の前面１ａに設けた取得知識変更操作機構７１からの変更指示信号によって取得知識変更手段６８は今まで使用していた１対の分割画面情報取得知識６２と画像情報取得知識６４とは異なる分割画面情報取得知識６２と画像情報取得知識６４との組をＲＯＭから読み出してＲＡＭに出力する。また、取得知識変更手段６８は主制御装置４０から当たり遊技の終了信号を受けて今まで使用していた１対の分割画面情報取得知識６２と画像情報取得知識６４とは異なる分割画面情報取得知識６２と画像情報取得知識６４との組をＲＯＭから読み出してＲＡＭに出力する。
【００１３】
また、抽選知識５４のつなぎ情報を書き換えたり、あるいは、乱数値とつなぎ情報との組み合わせを異ならせた抽選知識５４を複数設けることで、分割画面１６ｂに表示する画像を変更できる。例えば、遊技機枠１の前面１ａに設けた抽選知識変更操作機構７０からの変更指示信号によって抽選知識変更手段５７は今まで使用していた抽選知識５４のつなぎ情報を書き換えたり、あるいは、乱数値とつなぎ情報との組み合わせを異ならせた抽選知識５４をＲＯＭから読み出してＲＡＭに出力する。また、抽選知識変更手段５７は遊技制御手段５８から当たり遊技の終了信号を受けて今まで使用していた抽選知識５４のつなぎ情報を書き換えたり、あるいは、乱数値とつなぎ情報との組み合わせを異ならせた抽選知識５４をＲＯＭから読み出してＲＡＭに出力する。
【００１４】
図１−図２を参照し、第１実施形態の動作について説明する。パチンコ機の主制御装置４０、画像制御装置６０、音制御装置４２、表示灯制御装置４３および発射払出制御装置４４が電力供給を受けて起動する。主制御装置４０は電力供給を受けて起動した際にＲＯＭからＲＡＭに抽選知識５４を読み込む。また、画像制御装置６０は電力供給を受けて起動した際にＲＯＭからＲＡＭに分割画面情報取得知識６２と画像情報取得知識６４とを読み込み、表示制御手段６５が分割画面番号の最大値を検索して画面分割数を知徳し、画面分割数情報を表示画面駆動手段６７に出力する。これにより、表示画面駆動手段６７は画面分割数情報により表示画面１６ａを分割表示する。分割表示態様は画面分割数によって予めプログラミングされており、表示制御手段６５が、画面分割数に応じた表示プログラムをＲＯＭからＲＡＭに読み込み、この表示プログラムに従って表示画面駆動手段６７を制御し、これにより、表示画面駆動手段６７が表示画面１６ａを分割表示する。図２では、画像分割番号が「１」から「８」までなので、表示画面１６ａは８分割される。球が皿４に入れられた状態において、遊技者が発射操作機構５を操作すると、発射操作機構５が操作量に相当する電気信号としての例えば可変抵抗値を発射払出制御装置４４に出力する。発射払出制御装置４４は、発射機構１１を、可変抵抗値に応じた発射出力として例えば１分間に１００発未満の間隔で駆動する。これによって、発射機構１１が皿４から供給された球を遊技領域１３に向けて１個ずつ発射する。パチンコ機には始動入賞球検出器３１、図外の特定入賞球検出器、図外の普通入賞球検出器、図外の一般入賞部品に入賞した球を検出して一般入賞信号を出力する一般入賞球検出器が存在する。このようなことから、入賞検出手段５１は、始動入賞球検出器３１からの始動入賞信号、特定入賞球検出器からの特定入賞信号、普通入賞球検出器からの普通入賞信号、一般入賞球検出器からの一般入賞信号が主制御装置４０のマイクロコンピュータに入力された入力ポートの位置の違いで、どの入賞部品に対応する入賞球検出器からの入賞信号であるかを識別し、払い出すべき設定払出数を特定するとともに球払出機構３７のアクチュエータを払出制御する。この遊技領域に発射された球が、始動入賞部品１５に入賞し、始動入賞球検出器３１が始動入賞信号を主制御装置４０に出力する。すると、入賞検出手段５１が始動入賞球検出器３１から始動入賞信号が主制御装置４０に入力されたことを検出する。このように、入賞検出手段５１が始動入賞信号の入力を検出することによって、主制御装置４０が図２に示す処理を開始する。
【００１５】
図２において、上記始動入賞信号の入力を検出したことに伴い、主制御装置４０への始動入賞があれば（ステップ１０１がＹＥＳ）、抽選手段５３が抽選カウンタ５２と抽選知識５４とを使用した抽選を行う（ステップ１０２）。抽選手段５３は、入賞検出手段５１からの始動入賞信号の入力タイミングで抽選カウンタ５２のカウント値を取得し、取得したカウント値を抽選知識５４に照合して、そのカウント値と同じ数値の乱数値に対応付けられたつなぎ情報と当たり外れ結果とを抽出し、その抽出した当たり外れ結果をＲＡＭに記憶するとともに、その抽出したつなぎ情報をＲＡＭに記憶する。主制御装置４０はＲＡＭに記憶されたつなぎ情報を画像制御装置６０に送信する。画像制御装置６０は受信したつなぎ情報を分割画面情報取得手段６１に送る。つなぎ情報を受けた分割画面情報取得手段６１は、つなぎ情報をＲＡＭに記憶するとともに分割画面情報取得知識６２につなぎ情報を照合して分割画面情報（分割画面番号）を取得し（ステップ１０３）、その取得した分割画面情報をＲＡＭに記憶するとともに画像情報取得手段６３に送る。分割画面情報を受けた画像情報取得手段６３は、その分割画面情報をＲＡＭに記憶するとともに、画像情報取得知識６４にその分割画面情報を照合して画像情報（アドレス）を取得し（ステップ１０４）、その取得した画像情報をＲＡＭに記憶するとともに、表示制御手段６５に送る。表示制御手段６５はＲＡＭに記憶されている分割画面情報に示された分割画面１６ｂを駆動させる駆動信号を表示画面駆動手段６７に出力するとともに、受け取った画像情報にしたがって画像記憶手段６６のアドレス領域から画像データを読み出して、表示画面駆動手段６７に出力する。これにより、表示画面駆動手段６７はその分割画面１６ｂにその画像データによる画像を表示する。
【００１６】
当たり遊技について説明する。主制御装置４０に備える遊技制御手段５８は、図外の当たり外れ結果記憶部、当たり外れ判定手段、開閉駆動手段を備える。上述の始動入賞により、抽選で抽出されて記憶部に記憶された当たり外れ結果を当たり外れ判定手段が判定し、当たりであれば、開閉駆動手段が可変入賞部品１７の開閉駆動源３６を駆動して可変入賞部品１７の開閉体３５を開閉する。つまり、可変入賞部品１７の開閉体３５を所定回数または所定時間開閉する当たり遊技と呼ばれる一連の遊技が行われる。そして、遊技領域に発射された球が開閉体３５の開放中に可変入賞部品１７に入賞すると、当該入賞した球を検出した可変入賞球検出器が入賞検出手段５１に可変入賞検出信号を出力し、入賞検出手段５１が当該可変入賞検出信号を受信して賞球払出信号を発射払出制装置４４に出力し、発射払出制装置４１は球払出機構３７を制御する。これにより、球払出機構３７が始動入賞に対応する数の球を皿に払い出す。尚、当たり遊技では、可変入賞部品１７内に入った球により特定の条件が満たされれば開閉体３５が閉じられた後に再び開くが、特定の条件が満たされなければ開閉体３５が閉じて当たり遊技を終了する。特定の条件とは、例えば、可変入賞部品１７内の普通入賞球検出器に特定数（例えば１０個）の球が検出されるまでの間に可変入賞部品１７内の特定入賞球検出器が球を検出したという条件や、所定の時間内に特定入賞球検出器が球を検出したという条件などである。即ち、球が可変入賞部品１７内の普通入賞口に特定数（例えば１０個）入賞するまでの間に特定入賞口への入賞があったという条件や、所定の時間内に特定入賞口への入賞があったという条件などの特定の条件を満たす度に開閉体３５は一旦閉じられる。この一旦閉じるまでの間をラウンドといい、上記特定の条件が成立すれば、ラウンドは所定回数までは継続する。従って、例えば最大ラウンド数が１６ラウンドであるとすれば、特定の条件が成立すれば、１６ラウンドまで継続し、１６ラウンドが終了すれば、当たり遊技が終了する。特定の条件が成立しなければ条件が成立しなかったラウンドでラウンド継続が終了し、当たり遊技が終了する。なお、当たりの場合は、つなぎ情報は「１」なので、分割画面番号「１」に対応する分割画面１６ｂ（図２の左上「１」の部分）に画像が表示される。したがって、遊技者はこの分割画面１６ｂに画像が表示された場合は当たりではないかとの期待感を楽しめる。
【００１７】
始動入賞から画像表示までの間、又は、始動入賞による当たり外れ結果が当たりで当たり遊技が終了するまでの間の一連の遊技中に、当該始動入賞の球とは別に遊技領域１３に発射された球により始動入賞が１以上あると、始動入賞による抽選により得られる情報が例えば４個まで保留される。即ち、つなぎ情報、分割画面情報、画像情報、当たり外れ結果は、ＲＡＭに設けられた先入れ先出し方式の記憶部に順次４個まで記憶されて、先に記憶された情報から処理されて消去される。即ち、つなぎ情報、分割画面情報、画像情報は、画像情報による画像が表示された後に消去され、また、当たり外れ結果は、当たり外れ結果が外れであれば判定終了後に、当たり外れ結果が当たりであれば当たり遊技終了後に消去される。
【００１８】
当たり遊技終了後に、遊技制御手段５８は、抽選知識変更手段５７、取得知識変更手段６８の両方又は一方に変更指示信号を出力する。これにより、抽選知識変更手段５７は、ＲＯＭから抽選知識変更プログラムをＲＡＭに読み込み、この抽選知識変更プログラムの手順に従って動作して、異なる抽選知識５４をＲＯＭから読み出してＲＡＭに出力したり、抽選知識５４のつなぎ情報を書き換える。これにより、表示器１６の分割画面１６ｂに表示する画像データを変更し得る。取得知識変更手段６８は、ＲＯＭから取得知識変更プログラムをＲＡＭに読み込み、この取得知識変更プログラムの手順に従って動作して、今まで使用していた１対の分割画面情報取得知識６２と画像情報取得知識６４とは異なる分割画面情報取得知識６２と画像情報取得知識６４との組に変更する。これにより、表示画面１６の分割画面１６ｂの数、表示画像等が異なるものとなり得る。
【００１９】
また、抽選知識変更手段５７は、変更指示判定手段５６から人（遊技者）の抽選知識変更操作機構７０の操作による変更指示信号を受けた旨の信号を受けた場合に、ＲＯＭから抽選知識変更プログラムをＲＡＭに読み込み、この抽選知識変更プログラムの手順に従って動作して、異なる抽選知識をＲＯＭから読み出してＲＡＭに出力したり、抽選知識５４のつなぎ情報を書き換える。取得知識変更手段６８は、変更指示判定手段５６から人の取得知識操作機構の操作による変更指示信号を受けた場合に、ＲＯＭから取得知識変更プログラムをＲＡＭに読み込み、今まで使用していた１対の分割画面情報取得知識６２と画像情報取得知識６４とは異なる分割画面情報取得知識６２と画像情報取得知識６４との組に変更する。
【００２０】
第１実施形態によれば、画像取得までの知識を、抽選知識５４と分割画面情報知識６２と画像情報知識６４とに分けたので、分割画面番号の数や画像情報を異ならせた分割画面情報取得知識６２と画像情報取得知識６４との組み合わせを変更することで、分割画面１６ｂの数と分割画面１６に表示する画像との組み合わせを多く設定できる。第１実施形態では、画像制御装置６０が、分割画面番号の数や画像情報を異ならせた分割画面情報取得知識６２と画像情報取得知識６４との組み合わせを複数組備えているので、主制御装置４０の制御負担を増加させることもない。また、主制御装置４０が、抽選知識５４のつなぎ情報を変更することで、表示器１６の分割画面１６ｂに表示する画像データを変更できる。また、抽選知識変更手段５７、取得知識変更手段６８を備えるので、当たり遊技後や、あるいは、主制御装置４０に発射出力が所定時間以上入力されない場合など、抽選知識５４や取得知識６２；６４が変更されるので、時間経過により、分割画面１６ｂに異なる画像を表示し得るパチンコ機が得られる。また、抽選知識変更操作機構７０、取得知識変更操作機構７１を備えるので、遊技者の操作により分割画面１６ｂに異なる画像を表示し得るパチンコ機が得られる。即ち、様々な分割画面１６ｂの形態や分割画面１６ｂへの表示画像を異ならせことができ、表示器に変化に富んだ表示を行えるパチンコ機が得られる。
【００２１】
分割画面１６ｂの画像表示形態としては、分割画面１６ｂに１つずつ画像を表示していってそのまま残し、抽選で以前と同じ分割画面番号を取得した場合には、その同一画面上の画像を変動させた後に前と同じ画像を表示する形態がある。また、分割画面１６ｂに１つずつその分割画面番号の取得回数を表示させていく形態がある。また、表示画面全体に画像を予め表示しておき、分割画面番号を取得した場合にその分割画面番号に対応する分割画面の画像を変動させ、当たり外れ結果が外れであれば、元の画像に戻し、当たりであれば、当たりに対応する分割画面番号に対応する画像データだけをもとの画像と違う画像データとするというような画像表示形態がある。
【００２２】
第２実施形態
図１の分割画面情報取得手段６１、分割画面情報取得知識６２、画像情報取得手段６３、画像情報取得知識６４、取得知識変更手段６８を主制御装置４０に設けてもよい。この場合でも、第１実施形態と比べて主制御装置４０の制御負担は増えるが、その他は第１実施形態と同様な効果が得られる。
【産業上の利用可能性】
【００２３】
本発明は、遊技開始操作レバーや遊技開始操作ボタン等の遊技開始操作手段の操作又はコイン等の遊技媒体の投入を検出することにより当たり外れ抽選カウンタのカウント値を取得し、当たり外れ抽選カウンタのカウント値毎に当たり外れ抽選結果を対応付けた当たり外れ知識に上記取得したカウント値を照合して当たり外れ抽選結果を取得し、この取得した当たり外れ抽選結果を当たりの抽選結果であると判定した場合に当たり遊技を行うスロットマシンにおいても適用できる。
【図面の簡単な説明】
【００２４】
【図１】パチンコ機の構成図（第１実施形態）。
【図２】パチンコ機の始動入賞による制御を示すフローチャート（第１実施形態）。
【符号の説明】
【００２５】
１  遊技機枠、１６  表示器、１６ａ  表示画面、１６ｂ  分割画面、
４０  主制御装置、５４  抽選知識、５７  抽選知識変更手段、６０  画像制御装置、
６２  分割画面情報取得知識、６４  画像情報取得知識、６６  画像記憶手段、
６８  取得知識変更手段、７０  抽選知識変更操作機構、７１  取得知識変更操作機構。
【図１】
2005185607.tif 000003
【図２】
2005185607.tif 000004